(57)【要約】      （修正有）【課題】水冷放熱ユニット及びそれを備えた水冷モジュールを提供する。【解決手段】水冷放熱ユニット１本体は、図を横に見て、上方の第１水収容空間１１１１ｃから中央の遠心ポンプを配置した変換領域１１３を経て下方の第２水収容空間１１２１ｃに至る冷却水の流路を形成し、冷却水は、第１水収容空間１１１１ｃから第１縦方向流路１１１１ｂ及び第１横方向流路１１１１ａを経て変換領域１１３を囲む流路へ流入し、底部通路を経て変換領域１１３の水ガイド孔１１３３から変換領域内に配置した遠心ポンプに送られ、遠心ポンプから外壁の孔を通して第２縦方向流路１１２１ｂに流入し、第２横方向流路１１２１ａから第２水収容空間１１２１ｃに流下して、流路の放熱フィン１１５により冷却される。半導体デバイスの冷却ヘッドの給排水口に接続する配管を接続して、水冷モジュールを構成する。【選択図】図２
0003208964.tif 000002
【実用新案登録請求の範囲】
【請求項１】
本体及び複数のファンブレードを有するポンプを備え、
上記本体は、冷却流体入口及び放熱機能を有する第１流路組を備える第1部分から冷却流体を駆動する変換領域を経て、冷却流体出口及び放熱機能を有する第２流路組を備える第２部分に至る冷却流体循環経路を構成し、
上記変換領域は、第１流路組に接続する複数の第１孔、変換領域底部に設けられ、底部通路を介して該第１孔と連通する水ガイド孔及び第２流路組に接続する複数の第２孔を有し、
上記ポンプは、上記変換領域に設置されて、上記第１部分の冷却流体入口から変換領域を経て第２部分の冷却流体出口にいたる冷却流体の循環を行う水冷放熱ユニット。
【請求項２】
前記第１、第２部分の間に間隔部を設けて両部分を区画し、
前記第１流路組は、該間隔部に沿って配置される複数の第１横方向流路、及び該第１横方向流路と接続される該複数の第１縦方向流路を有し、該第１横方向流路及び該第１縦方向流路は前記該変換領域を貫通する第１孔を介して変換領域底部に設けられた底部通路と連通し、
前記該第２流路組は、該間隔部に沿って配置される複数の第２横方向流路、及び該第２横方向流路と接続される複数の第２縦方向流路を有し、前記第２孔は変換領域の壁面を貫通して第２横方向流路及び該第２横方向流路と連通し、
上記複数の第１縦方向流路及び第２縦方向流路は、それぞれ相互に間隔をおいて配列されると共にそれぞれの流路間に複数のヒートシンクフィンを設けた、
請求項１に記載の水冷放熱ユニット。
【請求項３】
更に、前記変換領域の壁面内に第１水収容領域及び第２水収容領域を設置し、
該第１水収容領域は、前記第１孔を介して該第１流路組と相互に連通し、
前記第２水収容領域は、前記第２孔を介して該第２流路組と相互に連通する請求項１に記載の水冷放熱ユニット。
【請求項４】
前記第１部分は、更に、該第１流路組と接続する第１水収容空間を有し、該第２部分は、更に、該第２流路組と接続する第２水収容空間を有する、請求項１に記載の水冷放熱ユニット。
【請求項５】
本体及び複数のファンブレードを有するポンプを備え、
上記本体は、冷却流体入口及び放熱機能を有する第１流路組を備える第1部分から冷却流体を駆動する変換領域を経て、冷却流体出口及び放熱機能を有する第２流路組を備える第２部分に至る冷却流体循環経路を構成し、
上記変換領域は、第１流路組に接続する複数の第１孔、変換領域底部に設けられ、底部通路を介して該第１孔と連通する水ガイド孔及び第２流路組に接続する複数の第２孔を有し、
上記ポンプは、上記変換領域に設置されて、上記第１部分の冷却流体入口から変換領域を経て第２部分の冷却流体出口にいたる冷却流体の循環を行う水冷放熱ユニットと、
殻体を有し、該殻体は、水冷ヘッドに対する給水口及び排水口を有する少なくとも１つの水収容空間、該水収容空間に一側で接続する熱交換インタフェースを備える、水冷ヘッドと、
該水冷ヘッドの給水口及び前記本体の冷却流体出口を接続する第１管体と、
該冷水ヘッドの排水口及び前記本体の冷却流体入口を接続する第２管体と、
を含む水冷モジュール。
【請求項６】
更に、前記第１、第２部分の間に間隔部を設けて両部分を区画し、
前記第１流路組は、該間隔部に沿って配置される複数の第１横方向流路、及び該第１横方向流路と接続される該複数の第１縦方向流路を有し、該第１横方向流路及び該第１縦方向流路は前記該変換領域を貫通する第１孔を介して変換領域底部に設けられた底部通路と連通し、
前記該第２流路組は、該間隔部に沿って配置される複数の第２横方向流路、及び該第２横方向流路と接続される複数の第２縦方向流路を有し、前記第２孔は変換領域の壁面を貫通して第２横方向流路及び該第２横方向流路と連通し、
上記複数の第１縦方向流路及び第２縦方向流路は、それぞれ相互に間隔をおいて配列されると共にそれぞれの流路間に複数のヒートシンクフィンを設けた水冷放熱ユニットを有する請求項５に記載の水冷モジュール。
【請求項７】
更に、前記変換領域の壁面内に第１水収容領域及び第２水収容領域を設置し、
該第１水収容領域は、前記第１孔を介して該第１流路組と相互に連通し、
前記第２水収容領域は、前記第２孔を介して該第２流路組と相互に連通する水冷放熱ユニットを有する請求項５に記載の水冷モジュール。
【請求項８】
前記第１部分は、更に、該第１流路組と接続する第１水収容空間を有し、該第２部分は、更に、該第２流路組と接続する第２水収容空間を有する水冷放熱ユニットを有する請求項５に記載の水冷モジュール。
【考案の詳細な説明】
【技術分野】
【０００１】
水冷放熱ユニット及びその水冷モジュールに関し、ポンプを水冷放熱と組み合わせて冷却水の循環効率を増加し、水冷ヘッド空間を減縮した水冷放熱ユニット及びその水冷モジュールに関する。
【背景技術】
【０００２】
現行の電子装置の速度及び機能は、急速に発展し、機能の向上に伴ってその内部の電子素子の動作時には、相対的に温度が上昇し、一般の放熱モジュールは、ヒートシンク又は均温板又はヒートパイプを組み合わせた後に電子素子に対して解熱を行い、放熱ファンを増設し、該放熱モジュールに対して強制的に放熱を行うことに使用するが、該放熱モジュールは、電子装置内部で熱量を電子素子から持ち去るだけであり、該電子装置内部から直接放熱することはできないので、ある業者は、水冷モジュールを該電子装置中で解熱を行うことに応用しており、水冷モジュールは、水冷ヘッド及び水冷放熱を有し、該水冷ヘッド及び該水冷放熱の間は、循環水路を有し、両者の間に管体を介して接続して冷却流体の循環を行い、該冷水ヘッドは、熱交換インタフェースを有し、電子素子と貼合を行い、熱量を導出し、その後、該冷水ヘッド内部の冷却流体を介して熱量を該熱交換インタフェースから除去する。
該冷却ヘッド及び該水冷放熱内部の冷却流体が該水冷ヘッド内に設置されたポンプ、又は外部に直接設置された独立外付けのポンプを介して該冷却流体の冷却循環を駆動するが、内部空間が狭い電子機器において、該水冷ヘッドの全体の大きさは、厳格な要求が狭い空間の設置に適合し、また、水冷ヘッド内に該ポンプを設置する必要があり、狭い空間の解熱の問題を如何に解決するかは、主要な問題をなっている。
【先行技術文献】
【特許文献】
【０００３】
【特許文献１】特開２００１−５３２０６号公報
【考案の概要】
【考案が解決しようとする課題】
【０００４】
そこで、上記従来技術の欠陥を解決する為、本考案の目的は、水冷ヘッド空間を減縮した水冷放熱ユニットを提供することにある。
【０００５】
本考案のもう１つの目的は、ポンプ及び水冷放熱系統を結合し、冷却水循環効率を増加し、水冷ヘッド空間を減縮した水冷モジュールを提供する。
【課題を解決するための手段】
【０００６】
上記の目的を達成する為、本考案が提供する水冷放熱ユニットは、本体と、ポンプとを含み、
前記本体は、第１部分、第２部分及び変換領域を有し、該第１、第２部分は、それぞれ第１流路組及び第２流路組を有し、前記変換領域は、第１、第２部分の間は、該第１、第２流路組と相互に接続し、該第１部分は、入口を設け、該第２部分は、出口を有し、前記変換領域は、該第１、第２部分の間は、該第１、第２流路組と相互に接続し、該第１部分は、入口を設け、該第２部分に出口を有し、前記変換領域は、複数の第１孔、水ガイド孔及び複数の第２孔を有し、該第１孔は、該第１部分の第１流路組を接続し、該第２領域の該第２孔は、該第２部分の該第２流路組を接続し、該水ガイド孔は、該変換領域底部に設けられ、底部通路を介して該第１孔と連通し、該本体内に冷却流体を充填する。
【０００７】
前記ポンプは、前記水冷放熱ユニットの変換領域内に設置され、前記ポンプは、複数のファンブレードを有し、該ポンプは、前記本体内の冷却流体を駆動して該本体内部で循環を行う。
【０００８】
上記の目的を達成する為、本考案が提供する水冷モジュールは、水冷放熱ユニット、ポンプ、水冷ヘッド、第１管体、第２管体を含み、
前記水冷放熱ユニットは、第１部分、第２部分及び変換領域を有し、該第１、第２部分は、それぞれ第１流路組及び第２流路組を有し、前記変換領域は、第１、第２部分の間は、該第１、第２流路組と相互に接続し、該第１部分は、入口を設け、該第２部分は、出口を有し、前記変換領域は、該第１、第２部分の間は、該第１、第２流路組と相互に接続し、該第１部分は、入口を設け、該第２部分に出口を有し、前記変換領域は、複数の第１孔、水ガイド孔及び複数の第２孔を有し、該第１孔は、該第１部分の第１流路組を接続し、該第２領域の該第２孔は、該第２部分の該第２流路組を接続し、該水ガイド孔は、該変換領域底部に設けられ、底部通路を介して該第１孔と連通し、該本体内に冷却流体を充填する。
【０００９】
前記ポンプは、前記水冷放熱ユニットの変換領域内に設置され、前記ポンプは、複数のファンブレードを有し、該ポンプは、前記本体内の冷却流体を駆動して該本体内部で循環を行う。
【００１０】
前記水冷ヘッドは、殻体を有し、該殻体は、少なくとも１つの水収容空間、熱交換インタフェース、給水口及び排水口を有し、前記給水口、排水口は、該水収容空間に接続し、該熱交換インタフェースの一側は、該水収容空間に接続する。
【００１１】
前記第１管体は、それぞれ該水冷ヘッドの給水口及び該本体の出口に接続する第１端及び第２端を有する。
【００１２】
前記第２管体は、該冷水ヘッドの排水口及び該本体の入口を接続する第３端及び第４端を有する。
【考案の効果】
【００１３】
本考案の水冷放熱ユニット及びその水冷モジュールは、該水冷ヘッドの高さを更に低減して従来の空間が狭く水冷ヘッドを設置できない欠陥を改善し、且つ冷却流体の循環効率を増加させ、素子のストリングを減少し、漏水を防止することができる。
【図面の簡単な説明】
【００１４】
【図１】本考案の水冷放熱ユニットの第１実施例の立体図である。
【図２】本考案の水冷放熱ユニットの第１実施例の立体断面図である。
【図３】本考案の水冷放熱ユニットの第１実施例のＡ−Ａ断面図である。
【図４】本考案の水冷放熱ユニットの第１実施例のもう１つの断面図である。
【図５】本考案の水冷放熱ユニットの第２実施例の組み合わせ断面図である。
【図６】本考案の水冷放熱ユニットの第１実施例の立体組み合わせ図である。
【図７】本考案の水冷放熱ユニットの第１実施例の立体分解図である。
【図８】本考案の水冷モジュールの第２実施例の組み合わせ断面図である。
【考案を実施するための形態】
【００１５】
本考案の上記目的及びその構造と機能上の特性について、図面に基づく好適実施例を挙げ、以下に説明する。
【００１６】
図１、図２、図３は、本考案の水冷放熱ユニットの第１実施例の立体図及びＡ−Ａ断面図であり、図に示すように、本考案の水冷放熱ユニット１は、本体１１、ポンプ２１を含み、該本体１１は、第１部分１１１、第２部分１１２及び変換領域１１３を有し、該第１、第２部分１１１，１１２は、それぞれ第１流路組１１１１及び第２流路組１１２１を有し、前記第１、第２部分１１１，１１２の間は、間隔部１１４を有し、該間隔部１１４は、該第１、第２部分１１１，１１２を区分する。
【００１７】
該第１流路組１１１は、複数の第１横方向流路１１１１ａ及び複数の第１縦方向流路１１１１ｂを有し、該第１横方向流路１１１１ａ及び該第１縦方向流路１１１１ｂは相互に接続し、該第１横方向流路１１１１ａは、前記間隔部１１４の一側に分けて設けられ、該第１縦方向流路１１１１ｂは、相互に間隔をおいて配列され、且つ該第１縦方向流路１１１１ｂの間に複数の放熱用ヒートシンクフィン１１５を有する。
【００１８】
該第２流路組１１２１は、複数の第２横方向流路１１２１ａ及び複数の第２縦方向流路１２１ｂを有し、該第２横方向流路１１２１ａ及び該第２縦方向流路１１２１ｂは、相互に接続し、該第２横方向流路１１２１ａは、前記間隔部１１４一側に分けて設けられ、該第２縦方向流路１１２１ｂは、相互に間隔をおいて配列され、且つ該第２縦方向流路１１２１ｂの間に複数の放熱用ヒートシンクフィン１１５を有する。
【００１９】
前記変換領域１１３は、上記第１、第２部分１１１，１１２の間に設けられ、且つ該第１、第２部分１１１，１１２が設置する第1，第２流路組１１１１，１１２１と相互に接続する。
該第１部分１１１は、入口１１１ａを設け、且つ該第１流路組１１１１と接続し、該第２部分１１２は、出口１１２ａを有し、該第２流路組１１２１と接続する。
【００２０】
前記変換領域１１３は、複数の第１孔１１３１、水ガイド孔１１２２及び複数の第２孔１１３２を有し、該第１孔１１３１は、該第１部分１１１の第１流路組１１１１に接続し、該第２孔１１３２は、該第２部分１１２の該第２流路組１１２１に接続し、該水ガイド孔１１３３は、該変換領域１１３底部に設けられ、底部通路１１３４を介して該第１孔１１３１と連通し、該本体１１内に冷却流体１１６を充填し、前記底部通路１１３４は、該変換領域１１３底部の他側に設けられる。
【００２１】
該第１孔１１３１は、該変換領域１１３に径方向に貫通され、該第１横方向流路１１１ａ及び該第１縦方向流路１１１１ｂを該底部通路１１３４と連通させ、該第２孔１１３２は、該変換領域１１３の該第２部分１１２に相対する壁面を貫通し、該変換領域１１３を該第２流路１１２１と連通させる。
【００２２】
図４を参照する。
前記第２流路組１１２１の第２横方向流路１１２１ａと各々の第２縦方向流路１１２１ｂの相互に交わる箇所の口径幅を異なるものとし、上記変換領域１１３に近い場所に位置する第２縦方向流路１１２１ｂと該第２横方向流路１１２１ａの交わる箇所の口径幅は比較的小さくし、該変換領域１１３から離れた場所に位置する第２縦方向流路１１２１ｂと第２横方向流路１１２１ａの交わる箇所の口径幅を比較的大きくすることにより、該冷却流体１１６の流量を各第２縦方向流路１１２１ｂに平均的に分布して流すことができる。
【００２３】
該変換領域１１３は、その壁面内に設置される第１水収容領域１１３１ａ及び第２水収容領域１１３２ａを更に有し、該第１水収容領域１１３１ａは、前記第１流路組１１１１及び該第１孔１１３１と相互に連通し、該第２水収容領域１１３２ａは、前記第２流路組１１２１及び該第２孔１１３２と相互に連通し、該第２孔１１３２は、該第２水収容領域１１３２ａ内外、両側壁面（即ち、該変換領域１１３寄りが内側であり、該第２部分１１２寄りが外側である）に分けて設けられ、該第２水収容領域１１３２ａ内外、両側壁面に設置される第２孔１１３２は、高度差ａを有し、内側に設置される第２孔１１３２は、外側に設置される第２孔１１３２より高く、且つ前記第２水収容領域１１３２ａは、冷却流体の流量安定又は圧力安定の作用を有し、進入する冷却流体１１６に流量安定及び圧力安定した持続的循環をもたせ、循環効率を向上させる。
【００２４】
前記第１部分１１１は、更に、前記第１流路１１１１の第１縦方向流路１１１１ｂと接続する第１水収容空間１１１１ｃを有し、前記第２部分１１２は、該第２流路組１１２１の第２縦方向流路１１２１ｂと接続する第２水収容空間１１２１ｃを有する。
【００２５】
前記ポンプ２１は、前記水冷放熱ユニット１の変換領域１１３内に設置され、複数のファンブレード２１１を有し、前記本体１１内の冷却流体１１６を駆動し、該本体１１内部で循環させる。
【００２６】
前記ポンプ２１は、公知のものでよく該水冷放熱ユニット１１と対応して使用するできる公知のポンプを選択することができるが、これに制限するものではない。
【００２７】
図５に示すのは、本考案の水冷放熱ユニットの第２実施例の組み合わせ図であり、図に示すように、本実施例は、前記第１実施例と一部の構造が同じであるから、ここでは再度記載しないが、本実施例と前記第１実施例の相違箇所は、前記水ガイド孔１１３３周囲に凸伸部１１３５を延伸し、凸伸部１１３５は、錐状を呈し、且つ内部に通孔１１３６を有し、該通孔は該水ガイド孔１１３３と連通する。
【００２８】
図６、図７は、本考案の水冷モジュールの第１実施例の立体組み合わせ図及び立体分解図であり、図に示すように、本考案の水冷モジュール２は、水冷放熱ユニット１、ポンプ２１、水冷ヘッド２２、第１管体２３、第２管体２４を含む
【００２９】
前記水冷放熱ユニット１は、前記水冷放熱ユニットの第１実施例に記載するとおりであるから、前記水冷放熱ユニットの第１実施例及び図１、図２を合わせて参照することとし、ここでは再度記載しない。
【００３０】
前記水冷ヘッド２２は、殻体２２１を有し、該殻体２２１は、少なくとも１つの水収容空間２２２及び熱交換インタフェース２２３、給水口２２４及び排水口２２５を有し、前記給水、排水口２２４，２２５は、該水収容空間２２２に接続し、該熱交換インタフェース２２３は、該殻体２２１の一側に設けられ、該水収容空間２２２に接続する。
【００３１】
前記第１管体２３は、該水冷ヘッド２２の給水口２２４及び該本体１１の出口１１２ａに接続する第１端２３１及び第２端２３２を有する。
【００３２】
前記第２管体２４は、該冷水ヘッド２２の排水口２２５及び該本体１１の入口１１１ａに接続する第３端２４１及び第４端２４２を有する。
【００３３】
本実施例は、該水冷放熱ユニット１の変換領域１１３にポンプ２１を設置し、該第１、第２管体２３、２４を介して該水冷ヘッド２２に接続して前記水冷モジュール２を構成し、該水冷モジュール２により、水冷式循環解熱を提供する。
本考案は、従来技術との最大の相違点は、本考案が公知の水冷ヘッド２２中のポンプ２１をキャンセルし、故に該水冷ヘッド２２の全体の体積の大きさを減縮することができ、空間が狭くて解熱を要する電子機器内部にも容易に設置でき、キャンセルした該水冷ヘッド２２内部に設置されるポンプ２１は、冷却流体１１６を冷却する水冷放熱ユニット１中に設置するように変更し、該水冷ヘッド２２の全体の体積を減縮できる以外にポンプ２１によって該水冷放熱ユニット１内の冷却流体１１６を直接駆動して冷却流体１１６の効率を向上することができる。
【００３４】
本実施例の水冷ヘッド２２は、直接熱限と接合して熱量を吸収伝導することに使用し、また、冷却流体１１６を冷却する水冷放熱ユニット１は、第１、第２管体２３，２４を介して該水冷ヘッド２２と接続し、該水冷ヘッド２２内部は、水収容空間２２２を有し、該熱交換インタフェース２２３の一側は、該水収容空間２２２に対応し、冷却流体１１６は、該水収容空間２２２内を循環し、該熱交換インタフェース２２３が吸収した熱量を持ち去ることができる。
本考案の主な特長は、該水冷放熱ユニット１の構造設置にあり、間隔部１１４により該本体１１を第１、第２部分１１１，１１２に区分し、故に入水領域（第１部分１１１）及び出水領域（第２部分１１２）を形成することができ、変換領域１１３は、該冷却流体１１６の循環を駆動するための最も主要な部位であり、該変換領域１１３の特長は、該変換領域１１３が複数の第１孔１１３１及び複数の第２孔１１３２を設置することにあり、該第２孔１１３２は、該変換領域１１３と該第２水収容領域１１３２ａの間の側壁上に設置され、且つ該水ガイド孔１１３３は、該変換領域１１３底部に設けられ、底部通路１１３４を介して該第１孔１１３１に入る時、該第１流路組１１１１の該第１横方向流路１１１１ａ及び該第１縦方向流路１１１１ｂを経由し、該変換領域１１３へ流動し、該第１孔１１３１ａを介して該変換領域１１３底部の底部流路１１３４中に入り、該変換領域１１３底部に設置された水ガイド孔１１３３から該変換領域１１３中に入り、該変換領域１１３中のポンプ２１に設置された該ブレード片２１１によって冷却流体１１６をガイドし、該変換領域１１３の該第２孔１１３２ａにより該変換領域１１３から離脱させ、該第２水収容領域１１３２ａへ進入させ、該第２水収容領域１１３２ａ外側の側壁の第２孔１１３２から該第２流路組１１２１へ入り、該第２流路組１１２１の該第２横方向流路１１２１ａ及び該第２縦方向流路１１２１ｂによって該第２部分１１２に設置した出口１１２ａへ流動し、該水冷放熱ユニット１から離脱させ、冷却流体１１６は、該第１管体２３を介して該水冷ヘッド２２の給水口２２４に接続し、該水冷ヘッド２２に入り、該水冷ヘッド２２の水収容空間２２２において、循環冷却を行い、熱交換インタフェース２２３が吸着した熱量を持ち去った後、該水冷ヘッド２２の排水口２２５により、該水冷ヘッド２２の水収容空間２２２から離脱させ、該水冷ヘッド２２は、排水口２２５を介して該第２管体２４に接続し、第２管体２４により該水冷放熱ユニット１の本体１１の入口１１１ａと接続し、該冷却流体１１６は、該入口１１１ａから該水冷放熱ユニット１に入り、再度、水冷放熱ユニット１を介して該冷却流体１１６に対して冷客を行う。
【００３５】
本考案は、前記水冷ヘッド２２の全体体積を縮小し、その内部に設置するポンプ２１をキャンセルし、ポンプ２１を冷却流体１１６に対して冷却循環を行う水冷放熱ユニット１に配置することにより、設置箇所の空間容積の不足の問題を解決し、且つ依然として冷却循環を維持することができる。
【００３６】
本考案の水冷放熱ユニット１の一側は、放熱ファン３を対応して設置し、該水冷放熱ユニット１に対して強制放熱を行うことができ、このように、水冷放熱ユニット１内の冷却流体１１６の冷却効率を更に向上させることができ、該水冷放熱ユニット１の第１、第２流路組１１１１，１１２１により、水冷放熱ユニット１全体中に分布させ、放熱ファン３の該水冷放熱ユニット１に対して行う強制放熱を伴えば、熱量を吸収した水冷放熱ユニット１本体１１を迅速に冷却し、該冷却流体１１６を直接冷却することができ、冷却を受けた後の冷却流体１１６が再度循環して該水冷ヘッド２２に入り、冷却循環を行うことができる。
【００３７】
図８は、本考案の水冷モジュールの第２実施例の組み立て断面図であり、図に示すように、本実施例と前記第１実施例の一部の構造は、同じであるので、ここでは、再度記載せず、本実施例と前記第１実施例の異なる箇所は、前記水冷放熱ユニット１中のポンプ２１がファンブレード２１１を有し、該放熱ファン３は、ファンハブ３１を有し、前記ポンプ２１のファンブレード２１１及び該放熱ファン３のファンハブ３１は、軸心３２により連結され、放熱ファン３が回転する時、同時に該ポンプ２１のファンブレード２１１の運転を連動し、省エネルギーの目的を更に達成することができる。
【符号の説明】
【００３８】
１  水冷放熱ユニット
１１  本体
１１１  第１部分
１１１ａ  入口
１１１１  第１流路組
１１１１ａ  第１横方向流路
１１１１ｂ  第１縦方向流路
１１１１ｃ  第１水収容空間
１１２  第２部分
１１２ａ  出口
１１２１  第２流路組
１１２１ａ  第２横方向流路
１１２１ｂ  第２縦方向流路
１１２１ｃ  第２水収容空間
１１３  変換領域
１１３１  第１孔
１１４  間隔部
１１５  ヒートシンクフィン
１１３２  第２孔
１１３２
孔
１１３４  底部通路
１１３５  凸伸部
１１３６  通孔
２  水冷モジュール
２１  ポンプ
２１１  ファンブレード
２２  水平ヘッド
２２１  殻体
２２２  水収容空間
２２３  熱交換インタフェース
２２４  給水口
２２５  排水口
２３  第１管体
２３１  第１端
２３２  第２端
２４  第２管体
２４１  第３端
２４２  第４端
３  放熱ファン
３１  ファンハブ
３２  軸心
【図１】
0003208964.tif 000003
【図２】
0003208964.tif 000004
【図３】
0003208964.tif 000005
【図４】
0003208964.tif 000006
【図５】
0003208964.tif 000007
【図６】
0003208964.tif 000008
【図７】
0003208964.tif 000009
【図８】
0003208964.tif 000010
【手続補正書】
【提出日】平成28年11月29日(2016.11.29)
【手続補正１】
【補正対象書類名】実用新案登録請求の範囲
【補正対象項目名】請求項２
【補正方法】変更
【補正の内容】
【請求項２】
前記第１、第２部分の間に間隔部を設けて両部分を区画し、
前記第１流路組は、該間隔部に沿って配置される複数の第１横方向流路、及び該第１横方向流路と接続される複数の第１縦方向流路を有し、該第１横方向流路及び該第１縦方向流路は前記該変換領域を貫通する第１孔を介して変換領域底部に設けられた底部通路と連通し、
前記該第２流路組は、該間隔部に沿って配置される複数の第２横方向流路、及び該第２横方向流路と接続される複数の第２縦方向流路を有し、前記第２孔は変換領域の壁面を貫通して第２横方向流路及び該第２横方向流路と連通し、
上記複数の第１縦方向流路及び第２縦方向流路は、それぞれ相互に間隔をおいて配列されると共にそれぞれの流路間に複数のヒートシンクフィンを設けた、
請求項１に記載の水冷放熱ユニット。
【手続補正２】
【補正対象書類名】実用新案登録請求の範囲
【補正対象項目名】請求項６
【補正方法】変更
【補正の内容】
【請求項６】
更に、前記第１、第２部分の間に間隔部を設けて両部分を区画し、
前記第１流路組は、該間隔部に沿って配置される複数の第１横方向流路、及び該第１横方向流路と接続される複数の第１縦方向流路を有し、該第１横方向流路及び該第１縦方向流路は前記該変換領域を貫通する第１孔を介して変換領域底部に設けられた底部通路と連通し、
前記該第２流路組は、該間隔部に沿って配置される複数の第２横方向流路、及び該第２横方向流路と接続される複数の第２縦方向流路を有し、前記第２孔は変換領域の壁面を貫通して第２横方向流路及び該第２横方向流路と連通し、
上記複数の第１縦方向流路及び第２縦方向流路は、それぞれ相互に間隔をおいて配列されると共にそれぞれの流路間に複数のヒートシンクフィンを設けた水冷放熱ユニットを有する請求項５に記載の水冷モジュール。
【手続補正３】
【補正対象書類名】実用新案登録請求の範囲
【補正対象項目名】請求項５
【補正方法】変更
【補正の内容】
【請求項５】
本体及び複数のファンブレードを有するポンプを備え、
上記本体は、冷却流体入口及び放熱機能を有する第１流路組を備える第1部分から冷却流体を駆動する変換領域を経て、冷却流体出口及び放熱機能を有する第２流路組を備える第２部分に至る冷却流体循環経路を構成し、
上記変換領域は、第１流路組に接続する複数の第１孔、変換領域底部に設けられ、底部通路を介して該第１孔と連通する水ガイド孔及び第２流路組に接続する複数の第２孔を有し、
上記ポンプは、上記変換領域に設置されて、上記第１部分の冷却流体入口から変換領域を経て第２部分の冷却流体出口にいたる冷却流体の循環を行う水冷放熱ユニットと、
殻体を有し、該殻体は、水冷ヘッドに対する給水口及び排水口を有する少なくとも１つの水収容空間、該水収容空間に一側で接続する熱交換インタフェースを備える、水冷ヘッドと、
該水冷ヘッドの給水口及び前記本体の冷却流体出口を接続する第１管体と、
該水冷ヘッドの排水口及び前記本体の冷却流体入口を接続する第２管体と、
を含む水冷モジュール。